(57)【要約】【課題】  記録媒体へのインクの吐出を行う記録部と、記録された記録媒体のインクを乾燥、定着させる乾燥手段を備えた後処理部とを有するインクジェット記録装置において後処理部にて加熱された空気の記録部への流入を阻止する。【解決手段】  記録部１２０内の空気を外部に排出する記録部排気手段１と、記録部１２０内に外部の空気を流入させる記録部吸気手段２と、後処理部１３０から空気を排出する後処理部排気手段３と、後処理部１３０に空気を流入させる後処理部吸気手段４とを設ける。記録部排気手段１による排気量（ＡＦ１）、記録部吸気手段２による吸気量（ＡＦ２）、後処理部排気手段３による排気量（ＡＦ３）および後処理部吸気手段４による吸気量（ＡＦ４）は、ＡＦ３−ＡＦ４＞ＡＦ１−ＡＦ２、かつＡＦ３−ＡＦ４＞０の関係を満たす。【選択図】  図１
2005059478.tif 000002
【特許請求の範囲】
【請求項１】
記録ヘッドから記録媒体にインクを吐出して画像を形成する記録部と、
前記記録部において画像が形成された前記記録媒体の記録面を乾燥、定着させる乾燥手段を備える後処理部と、を有し、
前記記録部と後処理部との間で空気の流通を可能とするインクジェット記録装置において、
前記記録部内の空気を外部に排出する記録部排気手段と、
前記記録部内に外部の空気を流入させる記録部吸気手段と、
前記後処理部から空気を排出する後処理部排気手段と、
該後処理部に空気を流入させる後処理部吸気手段と、
を設け、
前記記録部排気手段による排気量（ＡＦ１）、前記記録部吸気手段による吸気量（ＡＦ２）、前記後処理部排気手段による排気量（ＡＦ３）および前記後処理部吸気手段による吸気量（ＡＦ４）は、
ＡＦ３−ＡＦ４＞ＡＦ１−ＡＦ２、かつ
ＡＦ３−ＡＦ４＞０
の関係を満たすことを特徴とするインクジェット記録装置。
【請求項２】
前記記録部排気手段による排気量（ＡＦ１）、前記記録部吸気手段による吸気量（ＡＦ２）は、ＡＦ１−ＡＦ２＞０の関係を満たすことを特徴とする請求項１記載のインクジェット記録装置。
【請求項３】
前記記録部吸気手段及び記録部排気手段は、前記記録ヘッドの画像形成に影響しない程度の気流を記録部内に発生させることを特徴とする請求項１または２に記載のインクジェット記録装置。
【請求項４】
前記記録部排気手段は、前記記録部に形成された排気口から前記記録部内の空気を排出させる送風ファンにより構成されていることを特徴とする請求項１ないし３のいずれかに記載のインクジェット記録装置。
【請求項５】
前記記録部吸気手段は、前記記録部に形成された吸気口、またはこの吸気口から記録部内に空気を流入させるファンによって構成されることを特徴とする請求項１ないし４のいずれかに記載のインクジェット記録装置。
【請求項６】
前記後処理部排気手段は、前記後処理部に形成された排気口から前記後処理部内の空気を排出させるファンにより構成されていることを特徴とする請求項１ないし５のいずれかに記載のインクジェット記録装置。
【請求項７】
前記後処理部吸気手段は、前記後処理部に形成された吸気口、またはこの吸気口から記録部内に空気を流入させる送風ファンによって構成されることを特徴とする請求項１ないし６のいずれかに記載のインクジェット記録装置。
【請求項８】
前記後処理部における乾燥手段は、前記後処理部吸気手段の近傍で空気を加熱する加熱手段を備え、この加熱手段で加熱された空気を前記記録媒体の記録面に当てることを特徴とする請求項１ないし７のいずれかに記載のインクジェット記録装置。
【請求項９】
前記後処理部における乾燥手段は、前記記録部によって画像の形成された記録媒体の搬送経路近傍に配置された加熱手段を備え、前記加熱手段によって前記記録媒体を加熱して前記記録媒体に吐出されたインクの水分を蒸発させることを特徴とする請求項１ないし８のいずれかに記載のインクジェット記録装置。
【請求項１０】
前記記録部排気手段は、前記記録ヘッドによる画像形成動作終了後に動作を停止し、
前記後処理部排気手段は、画像形成動作期間および画像形成動作終了後の一定期間において動作することを特徴とする請求項１ないし９のいずれかに記載のインクジェット記録装置。
【請求項１１】
前記記録ヘッドは、電気熱変換体の発する熱エネルギーによりインクに気泡を発生させ、その気泡の圧力によってインク吐出口よりインクを吐出させることを特徴とする請求項１ないし１０のいずれかに記載のインクジェット記録装置。
【発明の詳細な説明】
【技術分野】
【０００１】
本発明は、画像信号に応じて記録ヘッドから記録媒体へとインクを吐出して画像を形成するインクジェット記録装置に関し、特に、画像の形成された記録媒体に対し、乾燥、定着などの後処理を施す後処理部を備えたインクジェット記録装置に関するものである。
【背景技術】
【０００２】
プリンタ、複写機およびファクシミリなどの記録手段を有する装置（記録装置）は、画像信号に基づいて、紙やプラスチック薄板などの記録媒体上にドットパターンから成る画像を記録していくように構成されている。この記録装置は、画像を記録する方式により、インクジェット方式、ワイヤドット方式、サーマル方式、レーザービーム方式などに分類することができる。このうちインクジェット方式は、記録ヘッドから記録媒体にインク滴を吐出させて画像を形成する記録方式であって、この方式を採用したインクジェット記録装置は、記録媒体を搬送すると共に、記録ヘッドに形成された多数のノズルからインク滴を吐出、飛翔させて記録媒体に画像を記録するものである。この記録装置は、記録時において部材間の衝突などが生じないノンインパクト方式であるため、記録時の騒音が少なく静粛性に優れると共に、記録材が液体であるため、その取扱いが比較的容易であり、高信頼性および高画質が得られ、さらには複数色のインクを使用してカラー画像を形成することが容易である、等の多くの利点を有している。
【０００３】
また、インクジェット記録装置は、彩度の再現性が良好であるため、グラフィックや写真調の画像など鮮やかなカラー画像を記録するのに適している。この特性を生かすために、通常の色材濃度を有するインクの他に、インク色材の濃度を低くした所謂淡インクなどのような色材濃度の異なるインクを用いることにより、粒状感が少なく、また滑らかな階調性を有する画像を記録する方式が提案されている。
【０００４】
しかし、この淡インクなどを加えて記録動作を行った場合には、その分、記録媒体に吐出されるインク量は増大し、記録媒体上に吐出されたインクが定着するまでに時間がかかる傾向が生じる。そのため、記録してから余り時間が経過していない状態で記録面に接触すると、その記録面の色が落ちることがある。また、記録直後の記録媒体を搬送ローラによって搬送すると、記録面上で未定着なインクが搬送ローラに付着し、その付着したインクが、さらに後から搬送されて来る記録媒体に付着して記録媒体を汚してしまうという問題が発生する。  
また、記録媒体の記録面側のみに多量のインクが含まれるので、これが乾燥すると記録媒体の記録面のみが収縮し、時間と共に記録媒体が変形するという現象（カール現象）が生じる。
【０００５】
こうした問題を解決するために、従来のインクジェット記録装置では、記録部によって画像を形成した後、記録媒体に吐出されたインク中の水分を強制的に短時間で乾燥させる乾燥手段を備えた後処理部が設けられたものが知られている。この乾燥手段としては、記録部より搬送されてきた記録媒体の記録面に温風を当てて水分を蒸発させ、水分を含んだ空気を機外に排出するという構成を採るものが一般に知られている（特許文献１）。
【０００６】
一方、インクジェット方式の記録装置では、インク滴が吐出された際に、記録媒体に着弾して画像を形成する主な液滴の他に、これと比較して微小なサイズを有するインク滴（以下、インクミストと称す）が発生することがある。このインクミストは記録媒体に着弾せずにそのまま空中に漂い、装置内部等に付着して装置全体を汚すという問題が生じる。特にシリアルプリンタにおいて、記録ヘッドの位置検出すべく記録部内に設けられたエンコーダのスケールや光センサの投受光面などにインクミストが付着した場合には、記録ヘッドの位置検出が適性に行われず、記録動作不良が発生する恐れがある。また、搬送ローラにインクミストが付着した場合には、記録媒体と搬送ローラとの間に滑りが生じて適正な搬送動作が行われない可能性もある。このため、インクジェット方式の記録装置では、装置内の空気を機外へ排出させる排気手段を備え、これによってインクミストを除去することも行われている（特許文献２）。
【０００７】
【特許文献１】特開平６−７１８７１号公報
【特許文献２】特開平８−１５０７３１号公報
【発明の開示】
【発明が解決しようとする課題】
【０００８】
前記、記録面上の未定着のインク、及び、記録装置内に浮遊するインクミスト、の問題を同時に解決するために、従来技術（特許文献１、２）を同時にインクジェット記録装置に備えた場合においては、次のような問題が発生することが考えられる。記録部とその下流側に位置する後処理部とが記録媒体の搬送路などによって連通しているため、両部の間で空気が流通可能な状態となっており、記録動作中に、後処理部で発生した温風が記録部内に流入することがある。温風が記録部に流入すると、記録ヘッドに設けられたインク吐出口において、インクの増粘あるいは固化が発生し、インクの着弾位置がずれたり、場合によっては全く吐出されなくなるといった記録不良を引き起こすことがある。また、記録動作の進行に伴って記録部周辺の温度が上昇することによって記録ヘッドのインク吐出状態が不安定になることもあり、これが画像品位を低下させる原因ともなっている。
【０００９】
本発明は、以上のような課題に鑑みてなされたものであり、その目的とするところは、記録媒体へのインクの吐出を行う記録部と、記録された記録媒体のインクの乾燥、定着を行う乾燥手段を備えた後処理部とを有するインクジェット記録装置において、記録部と後処理部との間に生じる悪影響、すなわち、記録部に発生したインクミストの後処理部への流入、および後処理部にて加熱された空気の記録部への流入を軽減することが可能なインクジェット記録装置を提供することにある。
【課題を解決するための手段】
【００１０】
かかる目的を達成するために、本発明に係るインクジェット記録装置は、記録ヘッドから記録媒体にインクを吐出させて画像を形成する記録部と、前記記録部において画像が形成された前記記録媒体の記録面を乾燥、定着させる乾燥手段を備える後処理部と、を有し、前記記録部と後処理部との間で空気の流通を可能とするインクジェット記録装置において、前記記録部内の空気を外部に排出する記録部排気手段と、前記記録部内に外部の空気を流入させる記録部吸気手段と、前記後処理部から空気を排出する後処理部排気手段と、該後処理部に空気を流入させる後処理部吸気手段と、を設け、前記記録部排気手段による排気量（ＡＦ１）、前記記録部吸気手段による吸気量（ＡＦ２）、前記後処理部排気手段による排気量（ＡＦ３）および前記後処理部吸気手段による吸気量（ＡＦ４）は、
ＡＦ３−ＡＦ４＞ＡＦ１−ＡＦ２、かつ
ＡＦ３−ＡＦ４＞０
の関係を満たすことを特徴とするものである。
【発明の効果】
【００１１】
本発明においては、記録部に発生する圧力より後処理部内に発生する圧力が減少するため、記録部内の空気が後処理部内に流入することは阻止される。このため、画像の記録動作と同時に乾燥、定着を実行しても、後処理部の温風によって記録ヘッドのインク吐出口においてインクが増粘あるいは固化するのを防止することができると共に、記録部に発生したインクミストが記録部内のエンコーダや搬送ローラなどに付着することもなくなり、適正な記録環境を維持することがで、適正な記録環境を維持することができる。また、記録終了後においても上記各手段における風量の関係を保つことにより、後処理部に蓄熱した熱を記録部内に進入させることなく、確実に装置外へ排出することができ、記録ヘッドを適正な状態に維持することができる。
【発明を実施するための最良の形態】
【００１２】
以下、添付図面を参照して本発明の好適な実施の形態を詳細に説明する。  
（第１の実施形態）
図１はこの第１の実施形態に係るインクジェット記録装置において、記録媒体にインクを吐出させて画像を記録する記録部の概略構成を模式的に示す説明斜視図である。  
ここに示す記録部は、インクを吐出する吐出口を配列してなるインク吐出部を有する記録手段としての記録ヘッド２０を有すると共に、この記録ヘッドが搭載されるキャリッジ１０４を備える。キャリッジ１０４はキャリッジモータ（不図示）の駆動によって移動する駆動ベルト（不図示）の一部に固定されており、駆動ベルトの移動によりガイドシャフト１０３に沿って往復移動（主走査）する。
【００１３】
また、用紙やプラスチック薄板からなる記録媒体１０２は、搬送手段を構成する搬送ローラ１０１と排紙ローラ（不図示）とに挟持され、搬送モータ（不図示）の駆動に伴い図中の矢印Ｘ方向（副走査方向）に搬送される。なお、この搬送動作中、前記記録ヘッド２１との対向位置に達した記録媒体１０２は、平板状のプラテン１０６によって裏面を支持されつつ移動する。
【００１４】
また、特に図示しないが、本実施形態におけるインクジェット記録装置には、記録媒体を搬送ローラ１０１へと供給する記録媒体供給手段、記録ヘッド２１のインク吐出状態を最適に保つための回復手段、記録終了後に記録媒体を記録部から後段の後処理部を経て所定の排紙位置へと搬送する記録媒体排紙手段等が備えられている。
【００１５】
図２は記録ヘッド２１のインク吐出部２０を模式的に示す外観斜視図であり、図３はインク吐出口部２０の内部構造の一部を模式的に示す説明斜視図である。図２および図３において、記録ヘッド１０５は、インクを吐出するためのインク吐出口２３を形成した吐出口面２２を有しており、この吐出口面２２がプラテン上に支持された記録媒体と対向する。また、各インク吐出口２３に連通した液路部分３１には、インクを吐出するために必要とされる吐出エネルギーを発生する吐出エネルギー発生素子３２が各々設置されている。この実施形態では、吐出エネルギー発生素子３２として、電気熱変換体を用いている。すなわち、この実施形態における記録ヘッドは、この電気熱変換体から発生させた熱エネルギーによって、液路内に存在するインクに膜沸騰を発生させ、その膜沸騰による気泡の成長、収縮によって生じる圧力変化を利用して、吐出口よりインク滴を吐出させ、そのインク滴を記録媒体に着弾させて記録を行うものとなっている。  
なお、インクジェット記録装置では、吐出エネルギー発生素子として、ピエゾなどの電気機械変換体などを用いる場合もあり、本発明は、この電気機械変換体を用いた記録ヘッドも適用可能である。
【００１６】
図４は、本発明の第１の実施形態におけるインクジェット記録装置の主要部の内部構成を模式的に表した縦断側面図である。  
図４に示すインクジェット記録装置は、主として、記録ヘッド１０５から記録媒体１０２上にインク滴を吐出して画像を形成する記録部１２０と、前記記録部１２０から搬送されてきた記録媒体１０２のインクを乾燥、定着させるための乾燥手段を備えた後処理部１３０とを備える。この記録部１２０と後処理部１３０とは、装置の筐体部１２１，１３１によって略２つの空間Ｅ１（記録側空間），Ｅ２（後処理側空間）に区画されているが、両空間Ｅ１，Ｅ２は、記録媒体の搬送路１１１を介して連通している。
【００１７】
ここで、記録部１２０は、次のように構成されている。  
すなわち、記録側空間Ｅ１には、インクを吐出する記録ヘッド１０５が配置されると共に、この記録ヘッド１２０の吐出口形成面に対向してプラテン１０６が配置されている。また、搬送ローラ１０３によって記録部１２０内に搬送された記録媒体１０２は前記プラテン１０６上に到達し、ここで前記記録ヘッド１０５から吐出されるインク滴によって画像が形成される。この際、記録媒体１０２がプラテン１０６上で支持されるため、記録媒体１０２の記録面は平坦な状態となり、しかも記録媒体１０２と記録ヘッド１０５との間隙を一定に保つことができる。このため、記録媒体１０２へのインク滴の着弾精度は向上しかつ安定し、高品位な記録を行うことができる。
【００１８】
なお、プラテン１０６上の記録媒体１０２が搬送される領域に、微小な穴を設け、そこから空気を吸引することによって記録媒体１０２をプラテン１０６上に吸着させる構成をとれば、着弾精度はさらに向上し、より高品位な画像を形成することが可能となる。
【００１９】
また、記録部１２０における筐体部１２１の側面部には、記録部排気手段としてファン１が設けられ、筐体部１２１の上面部には、記録部吸気手段としての吸気口１２３が形成されている。この吸気口１２３には、フィルター１１０が設けられており、吸気口１２３から吸引される外気に含まれる塵埃などを除去し得るようになっている。また、記録部１２０には、図外の記録媒体給送装置から給送された記録媒体１０２を、プラテン１０６および後処理部１３０へと搬送する搬送ローラ１０１が配置されている。
【００２０】
上記のように構成された記録部において、ファン１を作動させると、記録部１２１内の空気が記録部側空間Ｅ１から外部（記録媒体の搬送方向における下流側）へと排出され、記録部側空間Ｅ１内には負圧が発生する。この負圧によって記録部側空間Ｅ１の上方に位置する空気が吸気口１２３より記録部１２０内へと吸引される。このようにして、記録部側空間Ｅ１内には、吸気口１２３からファン１を経て外部に排出される気流が発生する。このため、記録ヘッド１０５からのインク滴の吐出動作に伴なってインクミストが発生し、それが記録部１２０内の空間内で浮遊している場合にも、そのインクミストは、記録部１２０内に発生する気流と共に記録部１２０外へと排出され、記録部１２０内がインクミストによって汚損されることはなくなる。
【００２１】
なお、ファン１、及び吸気口１２３の設置位置は、記録部１２０の筐体部１２１の形状や、インクミストの発生しやすい場所などに応じて適宜設定すれば良く、必ずしも図４に示すような位置に限定されるものではない。すなわち、インクミストを効率良く排出し得るような気流を発生させることができる形状、位置を適宜選択すれば良い。また、この第１の実施形態では、記録部吸気手段として吸気口１２３にフィルター１１０を備えたが、吸気口１２３から記録部１２０内へと強制的に空気を吸引するファンを設けても良い。またこれら記録部排気手段、吸気手段を複数設置することでさらに効率良くミストを部外へ排出させるようにすることも可能である。
【００２２】
但し、いずれの構成においても、前記記録部排気手段１および吸気手段２によって形成された気流により、記録ヘッド１０５から吐出されるインク滴の着弾位置に悪影響を及ぼさないように、記録部排気手段、吸気手段の設置場所、気流の流量、および吸気口のサイズなどを設定することが必要である。すなわち、記録部１２０内の気流が記録ヘッド１０５のインク吐出口の近傍を通過する場合、吐出されたインク滴の飛翔方向が変化して記録媒体１０２への着弾位置が所定位置からずれたり、インク吐出口に隣接するインク内の水分が蒸発してインクの増粘あるいは固化が発生したりする可能性があり、これによって吐出不良を招く虞がある。
【００２３】
また、記録ヘッド１０５によって画像が形成された記録媒体１０２は、図中排紙ローラ１０７によって挟持され、搬送路１１１を経て後処理部へ搬送される。搬送路１１１には、記録媒体１０２がスムーズに通過し得る程度の空間が確保されているため、記録部１２０と後処理部１３０との間で空気は容易に流通できる状態となっている。
【００２４】
一方、この第１の実施形態における後処理部１３０は、乾燥手段と排気手段とを有し、乾燥手段によって発生させた温風を記録部１２０にて記録された記録媒体１０２の記録面に直接当ててインク中の水分を蒸発させると共に、水分を含んだ空気を後処理部排気手段としてのファン３によって排気口１３２から筐体１３１の外方へと排気するものとなっている。
【００２５】
すなわち、乾燥手段は、筐体部１３１の上面部に形成された吸気口１３２から後処理部吸気手段としてのファン４により後処理部１３０内へと空気を吸引すると共に、吸引した空気を熱源であるヒーター１０９によって加熱して温風とし、その温風を温風流路１１２に沿って流動させ、排紙ローラ１０７によって搬送された記録媒体１０２の記録面に直接当てるようになっている。これにより、記録媒体１０２の表面に吐出された直後のインクに含まれる多くの水分は、乾燥手段からの温風によって短期間で蒸発する。このように短時間で記録媒体上のインクの水分が蒸発することにより、インク中の色材は記録媒体中のインク保持層で定着して安定状態となる。また、自然乾燥によってゆっくりと水分を蒸発させる場合、記録媒体の内部深くにインクが浸透した状態でインク中の水分が蒸発するため、乾燥によって記録媒体の記録面側が収縮し、記録媒体が変形する（カール）ことがあった。しかし本発明のように記録直後に急速に乾燥させることによって、インクが記録媒体の比較的表層部分にあるときにインク中の水分を乾燥させることができるので、前記記録媒体の変形（カール）を防止することが可能である。
【００２６】
また、乾燥手段の作用によって水分を多量に含んだ温風は、後処理部排気手段としてのファン３によって部外へ排出される。後処理部１３０によってインクの乾燥、定着が完了した記録媒体１０２は排紙ローラ１０７によって後処理部１３０から排紙トレー１０８上に排紙される。温風流路１１２は仕切り板１１３によって形成されており、ファン４によって送られた温風が記録媒体１０２に当り、淀みなくスムーズにファン３に向けて流れるよう設計されている。また、排紙ローラ１０７は温風によって記録媒体１０２の乾燥、定着が完了する位置Ｐよりも下流側に設置することが望ましい。
【００２７】
以上のような記録部、及び後処理部を有するインクジェット記録装置において、記録部排気手段としてのファン１による排気量（筐体部１２１から外部への空気の流出量）ＡＦ１、記録部吸気手段としての吸気口１２３による吸気量（外部から筐体部１２１への空気の流入量）ＡＦ２、後処理部排気手段としてのファン３による排気量（筐体部１３１から外部への空気の流出量）ＡＦ３、及び後処理部吸気手段としてのファン４による吸気量（外部から筐体部１３１への空気の流出量）ＡＦ４が、以下の式１、式２に示す関係を満たすように設定する。  
（ＡＦ３−ＡＦ４）＞（ＡＦ１−ＡＦ２）                          式１
（ＡＦ３−ＡＦ４）＞０                                          式２
本実施形態では、記録部吸気手段としてフィルター１１０を備えた供給口２を採用しているため、記録部吸気手段１２３における吸気量ＡＦ２（外部から筐体部１２１内への空気の流入量）と、記録部排気手段１による排気量ＡＦ３（記録部排気手段−記録部吸気手段）の差（ＡＦ１−ＡＦ２）は「０」、もしくは微小な値（＞０）となる。
【００２８】
ここで図６を参照しながら上記式１、式２の関係を満たす条件の下で本実施形態におけるインクジェット記録装置の各種動作を実施した場合の、記録部１２０及び後処理部１３０での空気の流れを説明する。
【００２９】
記録ヘッド１０５による画像形成が開始されると（記録中）、インク吐出時に発生するインクミストを部外へ排出するためにファン１を作動させる。但しファン１は、画像形成動作を開始する前から予め作動させておいても良い。後処理部におけるファン３、４、及び、ヒーター１０９は、記録動作開始前に予め作動させておき、搬送ローラ１０３によって記録媒体１０２が後処理部へ搬送されたときに、最良の状態で乾燥、定着が達成できるように準備しておく。このとき前記式１の関係を満たしていれば、後処理部１３０における温風が搬送路１１１を介して記録部に進入することがない。すなわち、後処理部における排気手段であるファン３による排気量とファン４による吸気量との差が、記録部１２０における排気手段であるファン１の排気量と吸気手段である吸気口１２３における吸気量との差よりも大であった場合には、後処理部１３０の空間Ｅ２内に発生する負圧が、記録部１２０の空間Ｅ１に発生する負圧より大きくなるため、後処理部１３０内の空気が搬送経路１１１を介して記録部１２０内に流入することはない。
【００３０】
従って、画像の記録動作と同時に乾燥、定着を実行しても、後処理部１３０の温風によって記録ヘッド２１のインク吐出口２３において、インクの増粘や固化が発生することはなくなる。しかも記録部１２０に発生したインクミストはファン１によって外部へと排出されるため、インクミストが記録部１２０内のエンコーダや搬送ローラ１０１などに付着して記録ヘッド２１の位置検出に誤差が生じたり、搬送ローラ１２１による記録媒体１０２の搬送動作に滑りが生じたりすることを防止でき、適正な記録環境を維持することができる。但し、後処理部１３０における前記ファン３、４、及びヒーター１０９の作動タイミングは、画像記録の速度、ヒーター１０９の出力およびインクジェット記録装置の設置される環境などによって適宜適正な値に設定することが望ましい。このとき、後処理部１３０でのファン３、４が作動せずにファン１のみが作動している状態が起こり得るが、このときは前記式１の関係を満たす必要はない。
【００３１】
次に、画像記録終了後の動作を説明する。  
画像形成動作終了後は、記録ヘッド１０５からインクの吐出は行われなず、インクミストは発生しないので、ファン１をＯＦＦしても良い。後処理部１３０においては、温風により後処理部１３０内に熱が蓄積しているため、放熱を行う必要がある。従って、ヒーター１０９をＯＦＦした後も、少なくとも一定の期間ファン３を作動させ、それまでに蓄積していた温風を排出させる必要がある。この場合、ファン４を作動させた方がより効果的に廃熱を行うことができるが、作動させなくても排熱を行うことは可能である。ファン４が作動していない状態でも前記式１の関係は満たされるため、後処理部１３０に蓄熱している熱が記録部１２０内に進入することはない。ファン３は、後処理部１３０あるいは記録部１２０に温度測定手段を設けて、その温度データに基づいて十分に後処理部１３０が冷却されたことを確認した後、停止するという構成を採ることも可能であり、また、温度データに基づいて冷却時間を設定し、その時間の経過後にファン３の駆動を停止するよう構成することも可能である。
【００３２】
なお、上記第１の実施形態では、ファン４によって吸引した空気を、その下流側にあるヒータ１０９によって加熱するようにしたが、ヒータ１０９をファン４の上流側に設け、加熱された空気をファン４によって吸引するようにすることも可能である。
【００３３】
（第２の実施形態）
本発明における第２の実施形態を説明する。  
図５はこの第２の実施形態におけるインクジェット記録装置の内部構造を模式的に示す縦断側面図であり、ここに示す第２の実施形態は、後処理部における記録媒体１０２の乾燥、定着を行う乾燥手段としてのヒーター１１４の設置位置が前記第１の実施形態と異なる。すなわち、記録媒体１０２の記録面でのインク中の水分をより効率的に蒸発させるために、記録媒体１０２の搬送経路近傍に熱源であるヒーター１１４を設置している。ここでは、記録媒体１０２の裏面側に前記ヒーター１１４を配置しており、このヒーター１１４で加熱された記録媒体に吐出されたインク中の水分は蒸発し、その水分を含んだ空気はファン３、及びファン４が作り出す気流に乗せて外部へ排出されるよう構成されている、なお、その他の構成は、上記第１の実施形態と同様であり、図５において、図４と同一もしくは相当部分には同一符号を付してある。
【００３４】
このように、この第２の実施形態では、記録媒体１０２が通過する搬送経路の近傍にヒーター１１４が設置されているため、第１の実施形態に比べてさらに熱効率が高まり、短時間で効率よくインクの乾燥、定着を行うことができる。
【００３５】
なお、この第２の実施形態では、ヒーター１１４を搬送経路の近傍にのみ設けた場合を示したが、このヒーターに加え、前記大１の実施形態と同様に吸気口１３３の近傍にヒーターを設けても良く、これによれば、より効果的にインクの蒸発を行うことが可能となる。
【図面の簡単な説明】
【００３６】
【図１】本発明の第１の実施形態に係るインクジェット記録装置において、記録媒体にインクを吐出させて画像を記録する記録部の概略構成を模式的に示す説明斜視図である。
【図２】記録ヘッドのインク吐出口部を模式的に示す外観斜視図である。
【図３】インク吐出口部の内部構造の一部を模式的に示す説明斜視図である。
【図４】本発明の第１の実施形態におけるインクジェット記録装置の主要部の内部構成を模式的に表した縦断側面図である。
【図５】本発明の第２の実施形態におけるインクジェット記録装置の主要部の内部構成を模式的に表した縦断側面図である。
【図６】本発明の第１の実施形態におけるインクジェット記録装置の各ファンの動作タイミングを示す図である
【符号の説明】
【００３７】
１      記録部排気ファン
３      後処理部排気ファン
４      後処理部吸気ファン
１０１  搬送ローラ
１０７  排紙ローラ
１０８  排紙トレー
１０９  ヒーター
１１０  フィルター
１１１  搬送路
１１２  温風流路
１１３  仕切り板
１１４  ヒーター
１２０  記録部
１２１  筐体
１２２  排気口
１２３  吸気口
１３１  筐体
１３２  排気口
１３３  吸気口
ＡＦ１  記録部の排気量
ＡＦ２  記録部の吸気量
ＡＦ３  後処理部の排気量
ＡＦ４  後処理部の吸気量
【図１】
2005059478.tif 000003
【図２】
2005059478.tif 000004
【図３】
2005059478.tif 000005
【図４】
2005059478.tif 000006
【図５】
2005059478.tif 000007
【図６】
2005059478.tif 000008